(57)【要約】キャパシティブデータは、複数種類の異なる所定の幅とされ、一方向又は当該一方向の逆方向に離間して形成された複数の電極面２３と、電極面２３の間に形成された非電極面２４又はグランド電極面２４ａ上に帯電したデータ読み取り用電極が一方向に走査された場合に、当該電極２３とデータ読み取り用電極との間でコンデンサを形成して、電極面２３及び非電極面２４又はグランド電極面２４ａの幅に応じた静電誘導的な電圧値の時間的な変化Ｔ２，Ｔ４，Ｔ４によってデータ列０１，１１，１１が読み取られる。
2009034660.tif 000002
【特許請求の範囲】
【請求項１】
媒体としてカードや紙、ラベル等の上に印刷された静電誘電的にデータ列が読み出されるキャパシティブデータであって、
複数種類の異なる所定の幅とされ、一方向に離間して形成された複数の電極面と、
前記電極面の間に形成された非電極面又はグラウンド電極面とを備え、
前記電極面及び非電極面又はグラウンド電極面上で帯電したデータ読み取り用電極が前記一方向又は当該一方向の逆方向に走査された場合に、当該電極面とデータ読み取り用電極との間でコンデンサを形成して、前記電極面の幅に応じた静電誘電的な電圧変化によってデータ列が読み取られること、
を特徴とするキャパシティブデータ体。
【請求項２】
キャパシティブデータから静電誘電的にデータ列を読み出すデータ読取装置であって、
前記キャパシティブデータに近接されて、当該キャパシティブデータと相対移動するデータ読み取り用電極と、
前記データ読み取り用電極を帯電させる電源供給手段であるＲＦジェネレータと、
複数種類の異なる所定の幅とされ一方向に離間して形成された複数の電極面と前記電極面の間に形成された非電極面又はグラウンド電極面とを備えたキャパシティブデータに対して、前記電極面及び非電極面又はグラウンド電極面上に、前記帯電したデータ読み取り用電極が前記一方向又は当該一方向の逆方向に走査されて、当該電極面とデータ読み取り用電極との間でコンデンサを形成した場合に、前記電極面の幅に応じた静電誘電的な電圧変化を読み取る検知手段と、
前記検知手段で検知された静電誘電的な変化の時間に基づいて、前記キャパシティブデータに記録されたデータ列を読み取るデータ読取手段と
を備えることを特徴とするデータ読取装置。
【発明の詳細な説明】
【技術分野】
【０００１】
この発明は、静電誘電的にデータ列が読み出されるキャパシティブデータ体及び該キャパシティブデータのデータ読取装置に関する。
【背景技術】
【０００２】
従来より、静電誘導的に連結するインタフェースを用いてデータの読出し及び（又は）データの書込みが可能な低価格のデータカード及び当該データのリーダ装置が、下記の特許文献１などで知られている。【０００３】
この特許文献１に記載されて技術をはじめとして、従来において静電誘導的にデータを読み出す技術（キャパシティブ技術）では、リーダ側の電極とカード側の電極とを近接して正対的に配置し、且つ、リーダ側の電極に対してデータ側の電極を静止させた状態とすることによって、リーダ側の電極とデータ側の電極との間でキャパシティブ回路を形成し、データの読み取りを行っていた。そして、リーダ側の電極とデータ側の電極との間でキャパシティブ回路を形成した場合、リーダ装置は、高い電圧が検知された電極のデータ値を「１」、低い電圧が検知された電極のデータ値を「０」とすることによって、データカードに書き込まれた情報を読み出している。【０００４】
このようなデータの読み出し原理から、リーダ装置に対してデータを持つ媒体を一時停止する使用方法が一般的となっている。また、従来のリーダ装置は、データ側の電極をリーダ側の電極に対して正対し、且つ静止させる必要があるために、位置合わせのための構成が必要であった。【０００５】
【特許文献１】特許３０９２０１２号
【発明の開示】
【発明が解決しようとする課題】
【０００６】
しかしながら、例えば、上述のキャパシティブデータを格納したデータカードは、ＩＤカードとして利用する時でもカードを静止させないとキャパシティブデータを読み出すことができなかったので、その応用範囲が制限されているのが現状である。【０００７】
また、上述したキャパシティブ技術を利用してデータが書き込まれたデータカードは、磁気的に書き込まれたデータも格納したものがあるが、磁気データは、カードをスライド移動させながら読み取られる一方で、キャパシティブデータは、静止させて読み取られるといったように、読み取り方式に相違があった。これによって、リーダ装置は、磁気データ及びキャパシティブデータの双方を読み取る構成を備えていても、データカードをスライド移動させながら磁気データ及びキャパシティブデータの双方を読み取ることはできなかった。【０００８】
更に、ドキュメントの用のセキュリティとしてキャパシティブＩＤデータをラベルに添付して当該ドキュメントを識別する用途において、添付したＩＤラベルが斜めに貼られている場合などには、リーダ側の電極とラベル上のキャパシティブデータ側の電極との位置合わせが非常に困難となり、位置合わせのために特殊な技術が必要となるという問題もあった。【０００９】
本発明は、かかる現状に鑑み創案されたものであり、カードや紙、ラベル等の媒体に静電的に記録されたキャパシティブデータを当該媒体とデータ読取装置とを相対的に移動させながら読み取ることができる媒体としてのキャパシティブデータ体及び媒体上のキャパシティブデータのデータ読取装置を提供することを目的とする。
【課題を解決するための手段】
【００１０】
上記目的を達成するため、この発明に係るキャパシティブデータは、媒体としてカードや紙、ラベル等の上に印刷された静電誘電的にデータ列が読み出されるキャパシティブデータであって、複数種類の異なる所定の幅とされ、一方向に離間して形成された複数の電極面と、前記電極面の間に形成された非電極面又はグラウンド電極面とを備え、前記電極面及び非電極面又はグラウンド電極面上で帯電したデータ読み取り用電極が前記一方向又は当該一方向の逆方向に走査された場合に、当該電極面とデータ読み取り用電極との間でコンデンサを形成して、前記電極面の幅に応じた静電誘電的な電圧変化によってデータ列が読み取られることを特徴とするものである。【００１１】
また、本発明は、キャパシティブデータから静電誘電的にデータ列を読み出すデータ読取装置であって、前記キャパシティブデータに近接されて、当該キャパシティブデータと相対移動するデータ読み取り用電極と、前記データ読み取り用電極を帯電させる電源供給手段であるＲＦジェネレータと、複数種類の異なる所定の幅とされ一方向に離間して形成された複数の電極面と前記電極面の間に形成された非電極面又はグラウンド電極面とを備えたキャパシティブデータに対して、前記電極面及び非電極面又はグラウンド電極面上に、前記帯電したデータ読み取り用電極が前記一方向又は当該一方向の逆方向に走査されて、当該電極面とデータ読み取り用電極との間でコンデンサを形成した場合に、前記電極面の幅に応じた静電誘電的な電圧変化を読み取る検知手段と、前記検知手段で検知された静電誘電的な変化の時間に基づいて、前記キャパシティブデータに記録されたデータ列を読み取るデータ読取手段とを備えることを特徴とする。
【発明の効果】
【００１２】
本発明によれば、データ読み取り用電極がキャパシティブデータの電極面上を通過した時間によってキャパシティブデータのデータを読み取るので、静電的に記録されたキャパシティブデータのデータを、当該キャパシティブデータのデータ読取装置とを相対的に移動させながら読み取ることができる。
【図面の簡単な説明】
【００１３】
【図１】本発明を適用したキャパシティブデータ及びデータ読取装置の利用方法を説明する斜視図である。
【図２】本発明を適用したキャパシティブデータの平面図である。
【図３】本発明を適用したキャパシティブデータの電極形成パターンを説明する平面図である。
【図４】本発明を適用したキャパシティブデータ及びデータ読取装置によって形成する回路図である。
【図５】本発明を適用したキャパシティブデータに記録されたデータ列をデータ読取装置で読み取る動作を説明するための時間と電圧値の変化との関係を示す図である。
【図６】本発明を適用したキャパシティブデータの構成に対する電極センサー部の構成を示す図である。
【図７】本発明を適用したキャパシティブデータの構成に対する電極センサー部の構成を示す図である。
【図８】本発明を適用したキャパシティブデータの構成に対する電極センサー部の構成を示す図である。
【図９】本発明を適用したキャパシティブデータにおいて、ＩＤコード記録部とバーコードとを形成した構成を示す図である。
【図１０】本発明を適用した具体的なキャパシティブデータ及びデータ読取装置の外観構成を示す斜視図である。
【図１１】本発明を適用した具体的なキャパシティブデータ及びデータ読取装置の外観構成を示す斜視図である。
【符号の説明】
【００１４】
１  キャパシティブデータ
２  データ読取装置
１０  ＩＤコード記録部
２１  ＲＦコモン電極
２２  グランドコモン電極
２３  電極面
２４  非電極面
２４ａ  グランド電極面
３１ａ，３１ｂ，３１ｃ  電極センサー部
３２  電源
【発明を実施するための最良の形態】
【００１５】
以下、本発明の実施の形態について図面を参照して説明する。なお、以下の実施の形態は本発明の一例である。このため、本発明は、以下の実施形態に限定されることはなく、この実施の形態以外であっても、本発明に係る技術的思想を逸脱しない範囲であれば、設計等に応じて種々の変更が可能であることは勿論である。【００１６】
本発明は、例えば、図１に示すように構成されたキャパシティブデータ体１及び該キャパシティブデータのデータ読取装置２に適用される。キャパシティブデータ体１は、静電誘電的にデータ読取装置２からＩＤコードが読み取られるＩＤコード記録部１０を備えた構成となっており、データ読取装置２は、図１（ａ）に示すように、ペン型形状のセンサペンとなっておりキャパシティブデータ体１のＩＤコード記録部１０の上方において近接されて移動することによってキャパシティブデータ体１のＩＤコード記録部１０によって表されたＩＤコードを読み取る。また、図１（ｂ）に示すように、データ読取装置２を固定した状態でキャパシティブデータ体１を移動させて、ＩＤコード記録部１０のＩＤコードを読み取っても良い。なお、この実施の形態では、キャパシティブデータ体１に、例えばユーザ認証などを行うための識別子であるＩＤコードが記憶されている場合について説明するが、キャパシティブデータ体１には、ＩＤコードの他にあらゆるデータをＩＤコード記録部１０として記録できるのは勿論である。【００１７】
例えば、このキャパシティブデータ体１は、図２（ａ）（ｂ）（ｃ）に示すような構成である。【００１８】
図２（ａ）に示すように、ＲＦコモン電極２１，グランドコモン電極２２上に、複数の長方形の電極面２３と、電導性材料ではない非電極面２４とが交互に配列されて貼り付けられたバーコード状に構成されている。このキャパシティブデータは、後述のデータ読取装置２の電極センサー部３１ａ，３１ｂが帯電した状態で近接されると、当該電極センサー部３１ａ，３１ｂと電極面２３との間隙に電荷が発生して、当該電極面２３の電荷が検知される。また、キャパシティブデータは、図２（ｂ）に示すように、図中上下方向におけるグランドコモン電極２２が無いものであっても良い図２（ｃ）に示すように、ＲＦコモン電極２１とつながる複数の長方形の電極面２３とグランドコモン電極２２とつながる複数の電極面２４ａとが交互に配列され、そして、電導性材料ではない非電極面２４とが交互に構成されているものでも良い。尚、図２に示す例では、キャパシヒブデータカード１の電極面２３及び非電極面２４又はグランドコモン電極２２とつながる複数の電極面２４ａが設けられた構成のみを示しているが、実際には、当該電極面２３及び非電極面２４又はグランドコモン電極２２とつながる複数の電極面２４ａを合成樹脂材料の保護材などで覆って媒体上に形成される。【００１９】
複数の電極面２３及び非電極面２４又はグランドコモン電極２２とつながる複数の電極面２４ａは、図３のように幅Ａ，Ｂ，Ｃ，Ｄといったように異なる所定の幅に調整されて配列されている。この所定幅によって電極面２３及び非電極面２４又はグランドコモン電極２２とつながる複数の電極面２４ａは、データ列「００」、「０１」、「１０」、「１１」をデータ読取装置２に読み込ませる。【００２０】
キャパシティブデータは、図４（ａ）に示すように、データ読取装置２の電極センサー部３１ａ，３１ｂが電源３２によって帯電されている時に、ＲＦコモン電極２１及び電極面２３がデータ読取装置２側に形成させたデータ読取装置２の電極センサー部３１ａとＲＦコモン電極２１，電極センサー部３１ｂと電極面２３とが一体になって始めてコンデンサを有する回路４０を形成させることができるものである。【００２１】
キャパシティブデータは、抵抗となる電極面２３と、この電極面２３の各端に結線接続させるコンデンサの一部を形成する電極部２５ａ（ＲＦコモン電極２１），２５ｂ（電極面２３）を有し、データ読取装置２は、データ読取装置２の電源３２の各端子に結線接続されるコンデンサの一部を形成する電極センサー部３１ａ，３１ｂを有して、キャパシティブデータの電極部２５ａ，２５ｂが電極センサー部３１ａ，３１ｂに近接されたときに、図示されたように、各電極部間に空気を挟んだ空気コンデンサを有する回路４０が形成される。【００２２】
このようにして形成させた回路４０では、データ読取装置２の電極センサー部３１ａ（Ｃ１ｓ），３１ｂ（Ｃ２ｓ）がＲＦコモン電極２１の電極部２５ａ（Ｃ１ｆ），電極面２３の電極部２５ｂ（Ｃ２ｆ）に近接した場合に、空気コンデンサを介して電源３２とＲＦコモン電極２１（電極部２５ａ）、電極面２３と電極部２５ｂとが導通して電流が流れる状態となり、高いセンサ電圧値としてデータ読取装置２の電圧検出回路（検知手段、図示せず）で検知される。【００２３】
一方、図４（ｂ）に示すように、データ読取装置２の電極センサー部３１ａ，３１ｂが非電極面２４又はグランド電極面２４ａ上に配置された場合、非電極面２４グランド電極面２４ａには電流が流れない。したがって、電極センサー部３１ｂと電極部２５ｂとの間で電荷が発生しても、データ読取装置２の電圧検出回路では低い電圧値が検知される。【００２４】
例えば図５に示すように、第１幅の電極面２３、第２幅の非電極面２４、第２幅の電極面２３の順序でデータ読取装置２が略一定速度で走査した場合、データ読取装置２には、第１幅の電極面２３上では高い電圧値が検知され、次に第２幅の非電極面２４又はグランド電極面２４ａ上では低い電圧値が検知され、次に第２幅の電極面２３上では高い電圧値が検知される。これによって、データ読取装置２は、電極面２３、非電極面２４又はグランド電極面２４ａを通過したことを各電圧値の検知継続時間Ｔ２，Ｔ４，Ｔ４によって判別して、図示しない電圧値を判定する読み取り手段によって、キャパシティブデータ体１からデータ列「０１１１１１」を読み取ることができる。【００２５】
キャパシティブデータ体１上を略一定速度でデータ読取装置２が通過する場合、図３に示すように、例えば幅Ａの電極面２３及び非電極面２４又はグランド電極面２４ａは、データ「００」としてデータ読取装置２に読み込ませ、幅Ｂの電極面２３及び非電極面２４は、データ「０１」としてデータ読取装置２に読み込ませ、幅Ｃの電極面２３及び非電極面２４又はグランド電極面２４ａは、データ「１０」としてデータ読取装置２に読み込ませ、幅Ｄの電極面２３及び非電極面２４又はグランド電極面２４ａは、データ「１１」としてデータ読取装置２に読み込ませ、４種類のデータをデータ読取装置２に読み込ませる。４種類の幅Ａ，Ｂ，Ｃ，Ｄの電極面２３及び非電極面２４又はグランド電極面２４ａを交互に配列し、データ読取装置２で当該幅方向に順次電極面２３及び非電極面２４又はグランド電極面２４ａを検知させることによって、データ読取装置２で連続したデータ列を読み取らせる。なお、電極面２３及び非電極面２４又はグランド電極面２４ａの４種類の幅は、ユーザがキャパシティブデータ体１を利用した時のキャパシティブデータとデータ読取装置２との相対移動速度を実験等によって判断して、当該相対移動速度における４種類の幅に応じた電圧値変化をデータ読取装置２で区別できるようにしている。勿論、媒体がラベルや紙等の場合も同様である。【００２６】
キャパシティブデータ体１等の媒体には、例えば図３中の左端から右端に順次電極面２３及び非電極面２４が検知される方式でデータ読取装置２にデータ列が読み込まれる場合、左端の電極面２３及び非電極面２４又はグランド電極面２４ａによってスタートビットを読み込ませ、右端の電極面２３及び非電極面２４又はグランド電極面２４ａによってエンドビットを読み込ませるように、電極面２３及び非電極面２４又はグランド電極面２４ａが形成されている。【００２７】
また、図３中の右端から左端に順次電極面２３及び非電極面２４又はグランド電極面２４ａが検知される方式でデータ読取装置２にデータ列が読み込まれる場合、右端のエンドビットがスタートビットとして読み込ませ、左端のスタートビットがエンドビットとして読み込ませるように、電極面２３及び非電極面２４又はグランド電極面２４ａが形成されている。すなわち、キャパシティブデータの左右どちらからデータ読取装置２を走査させても、同じデータ読み取り結果を得ることができる。【００２８】
図３に示す例では、幅Ａの電極面２３及び非電極面２４又はグランド電極面２４ａがスタートビットで６個、エンドビットで５個配列された構成になっている。スタートビットのデータ列「００００００００００」をデータ読取装置２に読み込ませ、幅Ａの非電極面２４又はグランド電極面２４ａ及び幅Ｄの電極面２３が１個配列された構成によってデータ列「００１１」をデータ読取装置２に読み込ませ、以降は、データ列「１０１０」、「００００００００００００」、「０１０１０１亅、・・・、「０１」をデータ読取装置２に読み込ませ、左端の幅Ａの電極面２３が２個配列された構成によってエンドビットのデータ列「０１００００００００」をデータ読取装置２に読み込ませる。また、キャパシティデータの右端からデータ読取装置２によってデータ読み取りを始める時には、スタートビットのデータ列は、右から「０００００００００１」となり、エンドビットのデータ列は「００００００００００」となる。【００２９】
このように、キャパシティブデータ及びデータ読取装置２は、キャパシティブデータ体１の電極面２３及び非電極面２４又はグランド電極面２４ａとデータ読取装置２の電極センサー部３１ａ，３１ｂとが近接して相対した時間によって、データ読取装置２によってキャパシティブデータ体１に記録されたデータ列を検知でき、スタートビット、エンドビットによってキャパシティブデータ体１に記録されたデータ列の開始、終了をデータ読取装置２で判断できる。【００３０】
したがって、本発明を適用したキャパシティブデータ体１及びデータ読取装置２によれば、キャパシティブデータ体１とデータ読取装置２とが相対的に移動するデータ列の読み取り方法やなどによって、データ読取装置２とキャパシティブデータ体１とを相対的に移動させながらデータ列を読み取ることができ、キャパシティブデータ体１とデータ読取装置２との位置関係を固定する必要がなく、キャパシティブデータ体１とデータ読取装置２との位置関係を固定させるような別個の装置が必要ない。これによって、磁気カードのようにカードをスライドさせてデータ列を読み取る装置であってもキャパシティブデータ体１を利用できるために、キャパシティブデータ体１の応用範囲が広がり、さらには、磁気データとキャパシティブデータの双方を記録したカードであっても一度の読み取り動作によって、双方のデータを読み取る装置を実現できる。勿論、ラベルや紙等の媒体に記録されたキャパシティブデータも同様に読み取ることができる。【００３１】
つぎに、上述したように構成されたキャパシティブデータ体１におけるＩＤコード記録部１０の他のパターン及び当該パターンのＩＤコード記録部１０からデータ列を読み取るデータ読取装置２について説明する。勿論、特に説明はしないが、ラベルや紙等の媒体に記録されたキャパシティブデータも同様である。【００３２】
ＩＤコード記録部１０のパターンとしては、図６、図７、図８に示すようなものであっても良い。【００３３】
図６（ａ）に示すキャパシティブデータ体１のＩＤコード記録部１０は、一方向に電極面２３と非電極面２４とを配列して構成されている。このようなキャパシティブデータ体１は、図２に示したＩＤコード記録部１０と同様に、電極面２３と非電極面２４との幅が調整されている。そして、データ読取装置２は、電極面２３と非電極面２４の幅に応じた電圧値を読み取って、ＩＤコード記録部１０によって表されるデータ列を読み取る。このデータ読取装置２は、図６（ｂ）に示すように、データ列の読み取り時に電極面２３及び非電極面２４に対して対向されるセンサ電極である電極センサー部３１ａ及びＲＦコモン電極２１と同様に電源３２によってＲＦ信号が供給されるＲＦ電極である電極センサー部３１ｂを有する。ＲＦ電極である電極センサー部３１ｂには、電源３２に相当するＲＦジェネレータ４１によって交流電圧が印加される。このＲＦジェネレータ４１によって電極センサー部３１ｂに印加された電圧は、電極センサー部３１ｂと電極面２３とが対向している場合には高い電圧値となってアンプ４２、アナログ処理部４３及びマイクロプロセッサ４４に読み取られ、電極センサー部３１ｂと非電極面２４とが対向している場合には低い電圧値となってアンプ４２、アナログ処理部４３及びマイクロプロセッサ４４に読み取られる。【００３４】
図７（ａ）に示すキャパシティブデータ体１のＩＤコード記録部１０は、一方向に電極面２３と電極面２４ａとを配列して構成されており、ＲＦコモン電極２１から櫛状にのびる電極面２３と、グランドコモン電極２２から櫛状にのびる電極２４ａとを組み合わせて、当該電極面２３の間隙を非電極面２４としている。図７（ｂ）に示すデータ読取装置２は、データ列の読み取り時に電極面２３，電極面２４ａ及び非電極面２４上に走査されるセンサ電極である電極センサー部３１ａと、ＲＦコモン電極２１上に走査されるＲＦ電極である電極センサー部３１ｂと、グランドコモン電極２２上に走査されるグランドコモン電極３１ｃとを備える。そして、ＲＦジェネレータ４１によって電極センサー部３１ｂを介してＩＤコード記録部１０のＲＦコモン電極２１に印加された電圧は、電極センサー部３１ａと電極面２３とが対向している場合には高い電圧値となってアンプ４２、アナログ処理部４３及びマイクロプロセッサ４４に読み取られ、電極センサー部３１ｃと電極面２４ａとが対向している場合には低い電圧値となってアンプ４２、アナログ処理部４３及びマイクロプロセッサ４４に読み取られる。【００３５】
図８（ａ）に示すキャパシティブデータ体１のＩＤコード記録部１０は、一方向に電極面２３と非電極面２４とを配列して構成されており、ＲＦコモン電極２１から櫛状にのびる電極面２３を備えて、当該電極面２３の間隙を非電極面２４としている。図８（ｂ）に示すデータ読取装置２は、データ列の読み取り時に電極面２３、ＲＦコモン電極２１及び非電極面２４上に走査されるセンサ電極である電極センサー部３１ａと、ＲＦコモン電極２１上に走査されるＲＦ電極である電極センサー部３１ｂと、を備える。そして、ＲＦジェネレータ４１によって電極センサー部３１ｂを介してＩＤコード記録部１０のＲＦコモン電極２１に印加された電圧は、電極センサー部３１ａと電極面２３とが対向している場合には高い電圧値となってアンプ４２、アナログ処理部４３及びマイクロプロセッサ４４に読み取られ、電極センサー部３１ａと非電極面２４とが対向している場合には低い電圧値となってアンプ４２、アナログ処理部４３及びマイクロプロセッサ４４に読み取られる。【００３６】
このようなＩＤコード記録部１０は、電極センサー部３１ａが電極面２３上に存在して通電した後に、電極センサー部３１ｂがＲＦコモン電極２１上に存在して当該電極センサー部３１ａに残留した電荷を非電極面２４に解放することができる。これにより、電極センサー部３１ａが非電極面２４上に走査されている場合には、確実に電荷を解放してデータ列をデータ読取装置２に読み取らせることができ、データ列を確実に読み取ることができる。【００３７】
また、キャパシティブデータの他の構成としては、図９に示すように、単一の媒体１ａにＩＤコード記録部１０と、バーコード１００とを形成したものであっても良い。このようなキャパシティブデータは、ＩＤコード記録部１０によって表されるデータ列をデータ読取装置２によって読み取り、光学式のバーコードリーダによってバーコード１００を読み取る。このようなキャパシティブデータによれば、例えばＩＤコード記録部１０をカバーラベルによって覆うことによって外部から視認不能とし、当該ＩＤコード記録部１０によって表されるデータ列とバーコード１００によって表されるデータ列とをリンクさせてサーバ装置（図示せず）に記憶しておく。そして、ＩＤコード記録部１０及びバーコード１００によって表されるデータ列をそれぞれデータ読取装置２及びバーコードリーダによって読み取ってサーバ装置に送信する。そして、サーバ装置は、ＩＤコード記録部１０によって表されるデータ列とバーコード１００によって表されるデータ列とがリンクされたものであるであるか否かを判定して、当該媒体が正当なものであるかを判断できる。これによって、セキュリティ機能を持った媒体を実現できる。また、データ読取装置２によって電気的にデータ列が読み取られるＩＤコード記録部１０、バーコードリーダによって光学的にデータ列が読み取られるバーコード１００のみならず、同じ媒体１ａに、磁気的にデータ列が読み取られる磁気記録部を形成して、当該３つのデータ列の対応関係が整合した時のみに、該媒体の利用を認めるといったことも可能である。これは、ＲＦＩＤやＩＣの記録においても同様である。【００３８】
更に、ＩＤコード記録部１０は、カード媒体に形成する場合のみならず、任意形状の物体に形成されていても良く、データ読取装置２は、当該任意形状の物体に形成されたＩＤコード記録部１０を読み取るような構成となっている。例えば、図１０（ａ）のように、円柱状の物体１Ａの名称や物性などを管理するために、当該物体１Ａの表面にＩＤコード記録部１０が形成しておく。例えば、多数の試験管のそれぞれに、中身を識別するＩＤをＩＤコード記録部１０によって表されるデータ列としておく。このような任意形状の物体１Ａに対するデータ読取装置２は、図１０（ｂ）に示すように、上述のアンプ４２、アナログ処理部４３及びマイクロプロセッサ４４等が収容されたリーダ本体２Ａと、電極センサー部３１ａ，３１ｂが露出したリーダアダプタ２Ｂとからなる構成とする。このようなＩＤコード記録部１０に対して電極センサー部３１ａ，３１ｂを覆うようにリーダアダプタ２Ｂを物体１Ａに近接させて、ＩＤコード記録部１０によって表されるデータ列を読み取ることができる。【００３９】
更にまた、データ読取装置２は、図１１（ａ）のように平面上のキャパシティブデータにＩＤコード記録部１０が形成されているものに対して、図１１（ｂ）に示すように、上述のアンプ４２、アナログ処理部４３及びマイクロプロセッサ４４等が収容されたリーダ本体２Ａと、電極センサー部３１ａ，３１ｂ，３１ｃが取付けられるリーダアダプタ２Ｂとからなる構成とする。この場合、キャパシティブデータは、非露出である。このようなＩＤコード記録部１０に対して電極センサー部３１ａ，３１ｂ，３１ｃを覆うようにリーダアダプタ２Ｂをキャパシティブデータ上を接触走査させて、ＩＤコード記録部１０によって表されるデータ列を読み取ることができる。【００４０】
なお、上述した本発明を適用したキャパシティブデータ体１及びデータ読取装置２は、以下のような実施例にも適応できる。【００４１】
キャパシティブデータをカードではなく、ラベルに形成した場合であって、当該ラベルの貼り付け向きが斜めなどになっていても、ペンタイプのデータ読取装置２を斜めに走査すればキャパシティブデータを読み取ることができ、ラベルが斜めになっていたことによってキャパシティブデータの読みとりが困難となることはない。【００４２】
また、広く普及している表示式のバーコードとは異なり、キャパシティブデータとしてデータ列を読み取ることができるので、光によってデータ列がコピーされるなどの不正使用を回避できる。【００４３】
更に、電極面２３及び非電極面２４又はグランド電極面２４ａの幅によって１ビットの０，１ではなく、２ビットのデータ列を表現する電極面２３及び非電極面２４又はグランド電極面２４ａからなるものとしたので、より多いデータ量をキャパシティブデータ体１又はラベルに記録できる。【００４４】
更に、スタートビット及びエンドビットを幅Ａ及び幅Ｂで固定した幅の電極面２３及び非電極面２４又はグランド電極面２４ａで構成することによって、当該スタートビットの電極面２３及び非電極面２４又はグランド電極面２４ａを検知した電圧値の高低変化を基礎として、以降のデータ列を検知できる。また、スタートビットの電極面２３を検知した高い電圧値の継続時間及びスタートビットの非電極面２４又はグランド電極面２４ａを検知した低い電圧値の継続時間から、キャパシティブデータに対するデータ読取装置２の走査速度を基礎を得て、以降のデータ列を検知できる。これによって、キャパシティブデータのデータ列を高い精度で検知できる。【００４５】
更に、上述の例では、電極面２３のみならず、非電極面２４又はグランド電極面２４ａ上をデータ読取装置２が通過した時でも、低い電圧値の継続時間によってデータ列を検知するとしていたが、非電極面２４又はグランド電極面２４ａによって検知した低い電圧値を、高い電圧値の区切りとして利用しても良い。【００４６】
図１２は、この発明に係るキャパシティブデータを適用したラベルの２例を示しており、（Ａ）のラベルＲ１は、ラベル基材３０の上面にキャパシティブデータ電極３１を印刷し、このキャパシティブデータ電極３１の上面を保護層３２で覆い、さらにこの保護層３２の上面をカバーラベル３３で被覆して構成されている。また、（Ｂ）のラベルＲ２は、ラベル基材３０の上面にキャパシティブデータ電極３１を印刷し、このキャパシティブデータ電極３１の上面を保護層３２で覆って構成されている。【００４７】
尚、上記キャパシティブデータを利用することができる分野として、書類関係としては、具体的には、法律関係書類、中期債住宅ローン書類、本物証明書、契約書、公的書類、パスポート、電子公証人証書に適用することができる。また、商用カードとしては、クレジット、銀行カード、ギフトカード、入場券、宝くじ券、カジノカード、各種ティケットに適用することができる。さらに、社員証等のＩＤカードにも適用することができる。【００４８】
上記書類関係や各種ティケットの場合、ラベル上に印刷されたキャパシティブデータを書類上に添付する。また、商用カードの場合は、磁気、ＩＣ、ＲＦＩＤ、バーコードと併用することで、セキュリティのある磁気、ＩＣ、ＲＦＩＤ、バーコードとすることができる。
【図１】
2009034660.tif 000003
【図２】
2009034660.tif 000004
【図３】
2009034660.tif 000005
【図４】
2009034660.tif 000006
【図５】
2009034660.tif 000007
【図６】
2009034660.tif 000008
【図７】
2009034660.tif 000009
【図８】
2009034660.tif 000010
【図９】
2009034660.tif 000011
【図１０】
2009034660.tif 000012
【図１１】
2009034660.tif 000013
【国際調査報告】
2009034660.tif 000014
2009034660.tif 000015